【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
被押出材を押圧しながら、金型に形成している、所定の屈曲角度だけ屈曲した屈曲部を備え、該屈曲部の前後では等断面積形状である押出通路を通して、被押出材に剪断力を付与しながら塑性加工を施す等断面積側方押出法により、被押出材であるＢｉＴｅ系熱電材料を押出す押出工程を有する熱電変換素子の製造方法において、
被押出材に対して、７ｍｍ／秒以下の移動速度で移動する押圧用プランジャーで、押出通路入口と屈曲部との間における押出方向に向かって押出圧力（Ｐ１）を加えると共に、屈曲部と押出通路出口との間における押出方向と逆方向に向かって背圧用プランジャーで背圧力（Ｐ２）を加えながら、被押出材を押出すことを特徴とする熱電変換素子の製造方法。
【請求項２】
押圧用プランジャーの移動速度を０．２ｍｍ／秒〜５ｍｍ／秒とすることを特徴とする請求項１記載の熱電変換素子の製造方法。
【請求項３】
前記押出工程における押出温度を室温〜５２５℃とすることを特徴とする請求項１又は請求項２記載の熱電変換素子の製造方法。
【請求項４】
被押出材に対する押圧用プランジャーによる押出圧力（Ｐ１）と背圧用プランジャーによる背圧力（Ｐ２）との差（ΔＰ）を一定に保持しながら、被押出材を押出すことを特徴とする請求項１乃至請求項３の何れかに記載の熱電変換素子の製造方法。
【請求項５】
前記押出工程を、複数回繰り返し行うことを特徴とする請求項１乃至請求項４の何れかに記載の熱電変換素子の製造方法。
【請求項６】
前記押出工程を、複数回繰り返し行う際に、２回目以降は、直前の押出工程で押出した被押出材を、その被押出材における、屈曲部と押出通路出口との間における押出方向と平行な軸を中心として１８０度回転させて、且つ直前の押出工程で押出した際の先頭面を先頭にして、直前の押出工程で使用した位置を保持している金型の押出通路入口から押出通路に挿入することを特徴とする請求項５記載の熱電変換素子の製造方法。
【請求項７】
前記押出工程を、複数回繰り返し行う際に、２回目以降は、直前の押出工程で押出した被押出材を、金型内に留めておき、直前の押出工程における背圧用プランジャーを押圧用プランジャーとして使用し、直前の押出工程における押圧用プランジャーを背圧用プランジャーとして使用して、金型内に留めている被押出材に繰り返して塑性加工を施すことを特徴とする請求項５記載の熱電変換素子の製造方法。
【請求項８】
前記押出工程を、複数回繰り返し行う際に、まず、押出温度を常温〜２００℃とした押出工程を１回もしくは複数回行った後、最終回もしくは最終回までの複数回の押出工程を、押出温度を４００℃〜５５０℃とした押出工程としていることを特徴とする請求項５乃至請求項７の何れかに記載の熱電変換素子の製造方法。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】変更
【補正の内容】
【００２２】
請求項５に係る発明の熱電変換素子の製造方法は、請求項１乃至請求項４の何れかに記載の熱電変換素子の製造方法において、前記押出工程を、複数回繰り返し行うことを特徴とする。
【手続補正４】
【補正対象書類名】明細書
【補正対象項目名】００２３
【補正方法】変更
【補正の内容】
【００２３】
請求項６に係る発明の熱電変換素子の製造方法は、請求項５記載の熱電変換素子の製造方法において、前記押出工程を、複数回繰り返し行う際に、２回目以降は、直前の押出工程で押出した被押出材を、その被押出材における、屈曲部と押出通路出口との間における押出方向と平行な軸を中心として１８０度回転させて、且つ直前の押出工程で押出した際の先頭面を先頭にして、直前の押出工程で使用した位置を保持している金型の押出通路入口から押出通路に挿入することを特徴とする。
【手続補正５】
【補正対象書類名】明細書
【補正対象項目名】００２４
【補正方法】変更
【補正の内容】
【００２４】
請求項７に係る発明の熱電変換素子の製造方法は、請求項５記載の熱電変換素子の製造方法において、前記押出工程を、複数回繰り返し行う際に、２回目以降は、直前の押出工程で押出した被押出材を、金型内に留めておき、直前の押出工程における背圧用プランジャーを押圧用プランジャーとして使用し、直前の押出工程における押圧用プランジャーを背圧用プランジャーとして使用して、金型内に留めている被押出材に繰り返して塑性加工を施すことを特徴とする。
【手続補正６】
【補正対象書類名】明細書
【補正対象項目名】００２５
【補正方法】変更
【補正の内容】
【００２５】
請求項８に係る発明の熱電変換素子の製造方法は、請求項５乃至請求項７の何れかに記載の熱電変換素子の製造方法において、前記押出工程を、複数回繰り返し行う際に、まず、押出温度を常温〜２００℃とした押出工程を１回もしくは複数回行った後、最終回もしくは最終回までの複数回の押出工程を、押出温度を４００℃〜５５０℃とした押出工程としていることを特徴とする。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００７９
【補正方法】削除
【補正の内容】
【手続補正１５】
【補正対象書類名】明細書
【補正対象項目名】００８０
【補正方法】変更
【補正の内容】
【００８０】
請求項５に係る発明の熱電変換素子の製造方法は、上記の構成を備えるので、請求項１に係る発明の効果に加えて、より優れた性能指数Ｚを有する熱電変換素子を得ることができるという効果を奏する。
【手続補正１６】
【補正対象書類名】明細書
【補正対象項目名】００８１
【補正方法】変更
【補正の内容】
【００８１】
請求項６に係る発明の熱電変換素子の製造方法は、上記の構成を備えるので、請求項５に係る発明の効果に加えて、さらにより優れた性能指数Ｚを有する熱電変換素子を得ることができるという効果を奏する。
【手続補正１７】
【補正対象書類名】明細書
【補正対象項目名】００８２
【補正方法】変更
【補正の内容】
【００８２】
請求項７に係る発明の熱電変換素子の製造方法は、上記の構成を備えるので、請求項５に係る発明の効果に加えて、さらにより優れた性能指数Ｚを有する熱電変換素子を得ることができ、且つ繰り返して行う押出工程の作業時間を短縮化できるという効果を奏する。
【手続補正１８】
【補正対象書類名】明細書
【補正対象項目名】００８３
【補正方法】変更
【補正の内容】
【００８３】
請求項８に係る発明の熱電変換素子の製造方法は、上記の構成を備えるので、請求項５に係る発明の効果に加えて、さらにより優れた性能指数Ｚを有する熱電変換素子を得ることができるという効果を奏する。
【手続補正１９】
【補正対象書類名】明細書
【補正対象項目名】００８４
【補正方法】削除
【補正の内容】
【手続補正２０】
【補正対象書類名】明細書
【補正対象項目名】００８５
【補正方法】削除
【補正の内容】
【手続補正２１】
【補正対象書類名】明細書
【補正対象項目名】００８６
【補正方法】削除
【補正の内容】
【手続補正２２】
【補正対象書類名】明細書
【補正対象項目名】００８７
【補正方法】削除
【補正の内容】
【手続補正２３】
【補正対象書類名】明細書
【補正対象項目名】００８８
【補正方法】削除
【補正の内容】